(57)【要約】【課題】送風量を増大させて温度調節効率を向上させることができ、また小型化を図ることができる水槽水の温度調節用ファンを提供する。【解決手段】ファン１における吹き出し通路３を形成する通路形成管２の周壁に、外気吸入口１０が形成されている。通路形成管２内の吹き出し通路３における外気吸入口１０に対応する位置に、通路断面積が前方に向かって縮小された絞り通路１１が形成されている。【選択図】図５
2008237082.tif 000002
【特許請求の範囲】
【請求項１】
水槽内の水の表面に送風することにより水槽内の水の温度を調節する、水槽水の温度調節用ファンにおいて、
吹き出し通路を形成する通路形成管の周壁に外気吸入口が形成されるとともに、
通路形成管内の吹き出し通路における外気吸入口に対応する位置に、通路断面積が縮小された絞り通路が形成されていることを特徴とする水槽水の温度調節用ファン。
【請求項２】
ファン本体と、通路形成管として吹き出し管及び繋ぎ管と、水槽への取付け部材とを備え、
繋ぎ管は、ファン本体と吹き出し管の間に配置されて両者を繋ぐものであり、
吹き出し管の先端部に吹き出し口が形成されており、
ファン本体と繋ぎ管、繋ぎ管と吹き出し管、並びに、ファン本体と吹き出し管は、それぞれ相互に連結及び分離可能であり、
吹き出し管の周壁の入口側端部に、外気吸入口が形成されており、
ファン本体の出口に、第１絞り通路が形成されるとともに、
繋ぎ管の出口に、第２絞り通路が形成されている請求項１記載の水槽水の温度調節用ファン。
【請求項３】
取付け部材は、ファン本体、繋ぎ管及び吹き出し管のうち少なくとも一つに、連結及び分離可能である請求項２記載の水槽水の温度調節用ファン。
【請求項４】
水槽内の水の表面に送風することにより水槽内の水の温度を調節する、水槽水の温度調節用ファンを備えた水槽装置において、
前記ファンとして、請求項１〜３のいずれかに記載のファンを備えていることを特徴とする水槽装置。
【請求項５】
請求項１〜３のいずれかに記載のファンを用いて水槽水の温度を調節することを特徴とする水槽水の温度調節方法。
【発明の詳細な説明】
【技術分野】
【０００１】
本発明は、例えば鑑賞用水槽内の水の温度を調節するためのファン、該ファンを備えた水槽装置及びファンを用いた水槽水の温度調節方法に関する。
【背景技術】
【０００２】
水槽内の水の温度を調節する装置としては、水中に配置されて使用されるヒータをはじめ、その他に、水槽内の水の表面に送風して水の温度を調節するファンが用いられている。このファンとしては、例えば特開平８−２３８２５号公報及び特開２００６−１４９３６２号公報に開示されたものが知られている。
【０００３】
このファンは、水槽の側壁に取り付けられたり水槽下方の床面に設置されたりして使用されるものであることから、なるべく小型である方が望ましい。
【特許文献１】特開平８−２３８２５号公報
【特許文献２】特開２００６−１４９３６２号公報
【発明の開示】
【発明が解決しようとする課題】
【０００４】
而して、このファンにおいては、水槽内の水の温度調節効率を向上させるには、水面への単位時間当たりの送風量を増加させれば良いが、そうするとファンの大型化につながるという難点があった。一方、ファンの小型化を図ろうとすると、送風量の増加が困難になるという難点があった。
【０００５】
本発明は、上述した技術背景に鑑みてなされたもので、その目的は、送風量を増加させて温度調節効率を向上させることができ、また小型化を図ることができる水槽水の温度調節用ファン、該ファンを備えた水槽装置及びファンを用いた水槽水の温度調節方法を提供することにある。
【課題を解決するための手段】
【０００６】
本発明は以下の手段を提供する。
【０００７】
［１］  水槽内の水の表面に送風することにより水槽内の水の温度を調節する、水槽水の温度調節用ファンにおいて、
吹き出し通路を形成する通路形成管の周壁に外気吸入口が形成されるとともに、
通路形成管内の吹き出し通路における外気吸入口に対応する位置に、通路断面積が縮小された絞り通路が形成されていることを特徴とする水槽水の温度調節用ファン。
【０００８】
［２］  ファン本体と、通路形成管として吹き出し管及び繋ぎ管と、水槽への取付け部材とを備え、
繋ぎ管は、ファン本体と吹き出し管の間に配置されて両者を繋ぐものであり、
ファン本体と吹き出し管を繋ぐものであり、
吹き出し管の先端部に吹き出し口が形成されており、
ファン本体と繋ぎ管、繋ぎ管と吹き出し管、並びに、ファン本体と吹き出し管は、それぞれ相互に連結及び分離可能であり、
吹き出し管の周壁の入口側端部に、外気吸入口が形成されており、
ファン本体の出口に、第１絞り通路が形成されるとともに、
繋ぎ管の出口に、第２絞り通路が形成されている前項１記載の水槽水の温度調節用ファン。
【０００９】
［３］  取付け部材は、ファン本体、繋ぎ管及び吹き出し管のうち少なくとも一つに、連結及び分離可能である前項２記載の水槽水の温度調節用ファン。
【００１０】
［４］  水槽内の水の表面に送風することにより水槽内の水の温度を調節する、水槽水の温度調節用ファンを備えた水槽装置において、
前記ファンとして、前項１〜３のいずれかに記載のファンを備えていることを特徴とする水槽装置。
【００１１】
［５］  前項１〜３のいずれかに記載のファンを用いて水槽水の温度を調節することを特徴とする水槽水の温度調節方法。
【発明の効果】
【００１２】
本発明は以下の効果を奏する。
【００１３】
［１］の発明では、吹き出し通路を形成する通路形成管の周壁に外気吸入口が形成されるとともに、通路形成管内の吹き出し通路における外気吸入口に対応する位置に、通路断面積が前方に向かって縮小された絞り通路が形成されている。したがって、送風時において、空気が吹き出し通路における絞り通路を通過すると、ベンチュリー効果により外気が外気吸入口から吹き出し通路に引き込まれる。これにより、ファンの大型化を図らなくても送風量を増加させることができ、もって水の温度調節効率の向上を図ることができる。したがって、ファンとして小型のものを用いた場合であっても、送風量を増加させ得て温度調節効率の向上を図ることができる。
【００１４】
［２］の発明では、ファン本体と繋ぎ管、繋ぎ管と吹き出し管、並びに、ファン本体と吹き出し管は、それぞれ相互に連結及び分離可能であることから、繋ぎ管を適宜使用することにより、ファン本体から吹き出し口までの長さや、ファン本体に対する吹き出し口の向きを変更することができる。
【００１５】
さらに、吹き出し管の周壁の入口側端部に、外気吸入口が形成されており、吹き出し管の出口に第１絞り通路が形成されるとともに、繋ぎ管の出口に第２絞り通路が形成されている。したがって、ファン本体と繋ぎ管と吹き出し管を順次連結して使用する場合であっても、更に、繋ぎ管を使用しないでファン本体と吹き出し管を直接連結して使用する場合であっても、上記［１］の発明の効果を奏し得る。
【００１６】
［３］の発明では、取付け部材は、ファン本体、繋ぎ管及び吹き出し管のうち少なくとも一つに、連結及び分離可能であることにより、ファンの水槽への取付け位置の自由度を増大させることができる。
【００１７】
［４］の発明では、本発明に係るファンと同様の効果を奏する水槽装置を提供できる。
【００１８】
［５］の発明では、本発明に係るファンと同様の効果を奏する水槽水の温度調節方法を提供できる。
【発明を実施するための最良の形態】
【００１９】
次に、本発明の一実施形態について図面を参照して以下に説明する。
【００２０】
図１〜図６は、本発明の一実施形態に係る水槽水の温度調節用ファンを説明する図である。
【００２１】
図１及び図２において、（１）は本実施形態のファン、（２０）は水槽（水槽本体）である。この水槽（２０）は、魚等を飼育や鑑賞し又は水生植物を育成や鑑賞するために用いられる。
【００２２】
本実施形態のファン（１）は、水槽（２０）内の淡水や海水等の水（２５）の表面（２５ａ）に送風することにより水槽（２０）内の水（２５）の温度を調節するものであり、詳述すると、水槽（２０）内の水（２５）の表面（２５ａ）に送風することにより水槽（２０）内の水（２５）を冷却するものである。この水槽（２０）の周囲の空気（外気）の温度は例えば室温である。
【００２３】
このファン（１）は、ファン本体（４）と、吹き出し管（５）と、水槽（２０）への取付け部材（７）とを備えている。そして、このファン（１）は、水槽（２０）の側壁（２１）の上縁部に取付け部材（７）により固定状態に取外し可能に取り付けられている。
【００２４】
ファン本体（４）と吹き出し管（５）は、図３及び図４に示すように相互に連結及び分離可能に構成されている。また、ファン本体（４）と取付け部材（７）は、図６に示すように相互に連結及び分離可能に構成されている。
【００２５】
ファン本体（４）は、プラスチック製のケーシング内に、送風プロペラ、その駆動モータ等が収容されている。そして、このファン本体（４）は、家庭用電源等の外部電源（図示せず）によってモータに給電することにより、モータが駆動してプロペラが回転し、これにより、ファン本体（４）の外側面に形成された外気取入れ口（４ｃ）から空気がファン本体（４）内に取り込まれて（即ち吸引されて）ファン本体（４）の出口（４ａ）から吹き出されるものとなされている（図５参照）。さらに、このファン本体（４）は、プロペラの回転速度を回転速度調節器（図示せず）で調節することにより、出口（４ａ）からの吹き出し量を変更できるように構成されている。
【００２６】
吹き出し管（５）は、図３及び図４に示すように、その入口（５ｂ）側の端部がファン本体（４）の出口（４ａ）側の端部に外嵌状態に分離可能に若干きつく連結されている。この吹き出し管（５）は、その内部空洞を吹き出し通路（３）とするものであり、すなわち、この吹き出し管（５）は、吹き出し通路（３）を形成する通路形成管（２）に対応している。図４及び図５に示すように、この吹き出し管（５）は、断面ロ字状のプラスチック製のものであり、その先端には、吹き出し口（５ａ）が形成されている。
【００２７】
さらに、図４及び図５に示すように、通路形成管（２）の周壁における流れ方向の途中の位置として、吹き出し管（５）の周壁における入口（５ｂ）側の端部（５ｃ）の一部（詳述すると上部）には、後方斜め上方に向けて開口するように外側にフード状に膨出した膨出部（５ｄ）の内側開口からなる外気吸入口（１０）が形成されている。
【００２８】
一方、吹き出し管（５）内の吹き出し通路（３）における外気吸入口（１０）に対応する位置として、ファン本体（４）の出口（４ａ）には、該ファン本体（４）の出口（４ａ）側の端部（４ｂ）の内周面上部に基端部（８ａ）が接着剤や溶着等によって固定状態に取り付けられたプラスチック製の絞り通路形成用傾斜板（８）が、流れ方向に対して前方に傾斜して吹き出し通路（３）の断面中央部に向かって突出した状態に配置されている。これにより、ファン本体（４）の出口（４ａ）に、通路断面積が前方に向けて漸次縮小された絞り通路（１１）が形成されている。
【００２９】
なお本発明では、傾斜板（８）は、その基端部（８ａ）がファン本体（４）の出口（４ａ）側の端部（４ｂ）の内周面上部に差込み係止される等によって取外し可能に取り付けられていても良い。すなわち、本発明では、傾斜板（８）をファン本体（４）の出口（４ａ）側の端部（４ｂ）に取り付ける手段は、接着剤や溶着であることに限定されるものではなく、例えば、端部（４ｂ）に形成された差込み溝に傾斜板（８）の基端部（８ａ）を差し込んで係止させる手段を採用しても良いし、他の取付け手段を採用しても良い。
【００３０】
傾斜板（８）の流れ方向に対する傾斜角は、例えば２０〜６０°の範囲に設定され、特に４５°に設定されることが望ましい。また、この傾斜板（８）によって絞り流路（１１）の最小断面積は、出口（４ａ）に傾斜板（８）が配置される前の通路断面積に対して例えば３０〜７０％に縮小されている。ただし本発明では、傾斜板（８）の傾斜角や絞り流路（１１）の縮小率は上記の範囲であることに限定されるものではない。
【００３１】
取付け部材（７）は、図１に示すように、水槽（２０）の側壁（２１）の上縁部に固定状態に掛け止めてファン（１）を水槽（２０）に取り付けるものであり、図６に示すように、断面コ字状の枠体（７ａ）と、該枠体（７ａ）の一対の対向壁部（７ｃ）（７ｃ）のうち一方の壁部（７ｃ）に設けられたねじ孔（７ｄ）に螺合して挿通された挟着用押しボルト（７ｅ）と、を有している。そして、図１に示すように、この取付け部材（７）の枠体（７ａ）の他方の壁部（７ｃ）と押しボルト（７ｅ）の先端部との間に水槽（２０）の側壁（２１）の上縁部を差し込んで押しボルト（７ｅ）で当該上縁部を挟着することにより、ファン（１）（ファン本体（４））が固定状態に水槽（２０）に取り付けられている。
【００３２】
また、図６に示すように、取付け部材（７）とファン本体（４）は、次のようにして相互に連結及び分離可能に構成されている。すなわち、ファン本体（４）の外周面の一部には、断面Ｔ字状の係合突部（４ｄ）が一体に形成されている。一方、取付け部材（７）の枠体（７ａ）の対向壁部（７ｃ）（７ｃ）同士を連結した連結壁部（７ｂ）の外面には、係合突部（４ｄ）に対応した断面形状（即ち断面Ｔ字状）の被係合溝部（７ｆ）が形成されている。そして、係合突部（４ｄ）が被係合溝部（７ｆ）内に嵌合状態に若干きつくスライド挿入されることにより、係合突部（４ｄ）が被係合溝部（７ｆ）と係合し、これにより、ファン本体（４）に取付け部材（７）が連結されている。一方、被係合溝部（７ｆ）から係合突部（４ｄ）を強制的に抜出することにより、取付け部材（７）がファン本体（４）から分離されるものとなされている。
【００３３】
次に、本実施形態のファン（１）の動作についてその作用効果とともに以下に説明する。
【００３４】
図１及び図２に示すように、ファン（１）は、水槽（２０）の側壁（２１）の上縁部に、吹き出し管（５）の吹き出し口（５ａ）を水槽（２０）内の水面（２５ａ）に向ける態様にして取付け部材（７）により固定状態に取り付けられている。この取付け状態では、ファン本体（４）及び外気取入れ口（４ｃ）は、水槽（２０）内の水面（２５ａ）の上方に配置されている。
【００３５】
この取付け状態で、ファン本体（４）内のプロペラ駆動モータに給電してプロペラを回転させることにより、室温の空気からなる外気が外気取入れ口（４ｃ）からファン本体（４）内に取り入れられたのち、図５に示すようにファン本体（４）の出口（４ａ）から吹き出し管（５）内の吹き出し通路（３）を通過して吹き出し口（５ａ）から水槽（２０）内の水面（２５ａ）に向けて吹き出される。これにより、水槽（２０）内の水（２５）がその表面（２５ａ）で蒸発気化して水（２５）が冷却される。このときの水（２５）の冷却速度は、水面（２５ａ）への単位時間当たりの送風量の増加に伴い速くなる。
【００３６】
しかるに、このファン（１）によれば、空気がファン本体（４）の出口（４ａ）から絞り流路（１１）を通過すると、ベンチュリー効果により外気が外気吸入口（１０）から吹き出し通路（３）に引き込まれる。そのため、吹き出し口（５ａ）から吹き出される水面（２５ａ）への単位時間当たりの送風量が増加し、もって水（２５）の冷却効率の向上を図ることができる。もとより、送風量の増加のためにファン（１）の大型化を図る必要もない。したがって、ファン（１）として小型のものを用いた場合であっても、送風量を増加させ得て冷却効率の向上を図ることができる。
【００３７】
さらに、本実施形態では、絞り通路（１１）は、通路断面積が前方に向かって漸次縮小されているので、ベンチュリー効果を確実に発揮させることができ、もって送風量を確実に増加できる。
【００３８】
図７〜図１１は、上記実施形態のファン（１）を変形した一例を説明する図である。
【００３９】
本変形例のファン（１）は、図１１に示すように、上記実施形態のファン（１）のファン本体（４）、吹き出し管（５）及び取付け部材（７）を備えるとともに、更に繋ぎ管（６）を備えている。このファン（１）において、ファン本体（４）及び吹き出し管（５）は、上記実施形態のファンと同一構成である。
【００４０】
繋ぎ管（６）は、ファン本体（４）と吹き出し管（５）の間に配置されて両者を繋ぐものである。また、ファン本体（４）と繋ぎ管（６）、並びに、繋ぎ管（６）と吹き出し管（５）は、それぞれ相互に連結及び分離可能に構成されている。さらに、上述したように、ファン本体（４）と吹き出し管（５）についても、相互に連結及び分離可能に構成されている。
【００４１】
繋ぎ管（６）は、図１０に示すように、その内部空洞を吹き出し通路（３）とするものであり、すなわち、この繋ぎ管（６）は、吹き出し管（５）と同様に、吹き出し通路（３）を形成する通路形成管（２）に対応している。また、この繋ぎ管（６）は、断面ロ字状のプラスチック製のものであり、図９及び図１０に示すように、その入口（６ａ）側の端部（６ｂ）がファン本体（４）の出口（４ａ）側の端部（４ｂ）に外嵌状態に分離可能に若干きつく連結されている。また、吹き出し管（５）は、その入口（５ｂ）側の端部が繋ぎ管（６）の出口（６ｃ）側の端部に外嵌状態に分離可能に若干きつく連結されている。
【００４２】
また、吹き出し管（５）内の吹き出し通路（３）における外気吸入口（１０）に対応する位置として、繋ぎ管（６）の出口（６ｃ）には、該繋ぎ管（６）の周壁の出口（６ｃ）側の端部（６ｄ）の内周面上部に基端部（９ａ）が接着剤や溶用着等によって固定状態に取り付けられたプラスチック製の絞り通路形成用傾斜板（９）が、流れ方向に対して前方に傾斜して吹き出し通路（３）の断面中央部に向かって突出した状態に配置されている。これにより、繋ぎ管（６）の出口（６ｃ）に、通路断面積が前方に向けて漸次縮小された絞り通路（１２）が形成されている。
【００４３】
ここで、説明の便宜上、ファン本体（４）の出口（４ａ）に形成された絞り通路（１１）及びこれを形成する傾斜板（８）をそれぞれ「第１絞り通路」及び「第１傾斜板」と呼び、繋ぎ管（６）の出口（６ｃ）に形成された絞り通路（１２）及びこれを形成する傾斜板（９）をそれぞれ「第２絞り通路」及び「第２傾斜板」と呼ぶ。
【００４４】
なお本発明では、第２傾斜板（９）は、その基端部（９ａ）が繋ぎ管（６）の周壁の出口（６ｃ）側の端部（６ｄ）の内周面上部に差込み係止される等によって取外し可能に取り付けられていても良い。すなわち、本発明では、第２傾斜板（９）を繋ぎ管（６）の周壁の出口（６ｃ）側の端部（６ｄ）に取り付ける手段は、接着剤や溶着であることに限定されるものではなく、例えば、端部（４ｂ）に形成された差込み溝に第２傾斜板（９）の基端部（９ａ）を差し込んで係止させる手段を採用しても良いし、他の取付け手段を採用しても良い。
【００４５】
第２傾斜板（９）の流れ方向に対する傾斜角は、例えば２０〜６０°の範囲に設定され、特に４５°に設定されることが望ましい。また、この第２傾斜板（９）によって第２絞り流路（１２）の最小断面積は、出口（６ｃ）に第２傾斜板（９）が配置される前の通路断面積に対して例えば３０〜７０％に縮小されている。ただし本発明では、第２傾斜板（９）の傾斜角や第２絞り流路（１２）の縮小率は上記の範囲であることに限定されるものではない。
【００４６】
また、取付け部材（７）とファン本体（４）は、上述したように相互に連結及び分離可能に構成されているが、更に、取付け部材（７）と繋ぎ管（６）についても、同じく相互に連結及び分離可能に構成されている。すなわち、図１１に示すように、繋ぎ管（６）の外周面の一部には、断面Ｔ字状の係合突部（６ｅ）が一体に形成されている。一方、取付け部材（７）の枠体（７ａ）の一対の対向壁部（７ｃ）（７ｃ）のうち一方の壁部（７ｃ）の外面には、係合突部（６ｅ）に対応した断面形状（即ち断面Ｔ字状）の被係合溝部（７ｇ）が形成されている。そして、係合突部（６ｅ）が被係合溝部（７ｇ）内に嵌合状態に若干きつくスライド挿入されることにより、係合突部（６ｅ）が被係合溝部（７ｇ）と係合し、これにより、繋ぎ管（６）に取付け部材（７）が連結されている。一方、被係合溝部（７ｇ）から係合突部（６ｅ）を強制的に抜出することにより、取付け部材（７）が繋ぎ管（６）から分離されるものとなされている。
【００４７】
次に、本変形例のファン（１）の動作についてその作用効果とともに以下に説明する。
【００４８】
図７及び図８に示すように、ファン（１）は、上記実施形態と同様に、水槽（２０）の側壁（２１）の上縁部に、吹き出し管（５）の吹き出し口（５ａ）を水槽（２０）内の水面（２５ａ）に向ける態様にして取付け部材（７）により固定状態に取り付けられているが、この取付け状態において、ファン本体（４）及び外気取入れ口（４ｃ）は、水槽（２０）の外側における水槽（２０）内の水面（２５ａ）よりも低い位置に配置されている。そのため、水槽（２０）内の水面（２５ａ）から上昇した蒸気がファン本体（４）の外気取入れ口（４ｃ）からファン本体（４）内に取り入れられることが抑制され、これにより、水面（２５ａ）からの蒸気がファン（１）に吸い込まれて再度水面（２５ａ）に吹き付けられるといった蒸気循環による冷却効率の低下が防止されている。
【００４９】
この取付け状態で、上記実施形態と同様に、ファン本体（４）内のプロペラ駆動モータに給電してプロペラを回転させる。これにより、ファン（１）の吹き出し口（５ａ）から水槽（２０）内の水面（２５ａ）に向けて空気を吹き出し、水槽（２０）内の水（２５）を冷却する。
【００５０】
しかるに、このファン（１）によれば、上記実施形態と同様に、図１０に示すように、空気が第２絞り流路（１２）を通過すると、ベンチュリー効果により外気が外気吸入口（１０）から吹き出し通路（３）に引き込まれる。そのため、吹き出し口（５ａ）から吹き出される水面（２５ａ）への単位時間当たりの送風量が増加し、もって水（２５）の冷却効率の向上を図ることができる。
【００５１】
したがって、このファン（１）によれば、上記実施形態で示したようにファン本体（４）と繋ぎ管（６）と吹き出し管（５）を順次連結して使用する場合（図１〜図６）であっても、更に、本変形例で示したように繋ぎ管（６）を使用しないでファン本体（４）と吹き出し管（５）を直接連結して使用する場合（図７〜図１１）であっても、できるかぎり小型のファンを用いて冷却効率の向上を図ることができる。
【００５２】
また、このファン（１）では、ファン本体（４）と繋ぎ管（６）、繋ぎ管（６）と吹き出し管（５）、並びに、ファン本体（４）と吹き出し管（５）は、それぞれ相互に連結及び分離可能であることから、繋ぎ管（６）を適宜使用することにより、ファン本体（４）から吹き出し口（５ａ）までの長さや、ファン本体（４）に対する吹き出し口（５ａ）の向きを変更することができる。
【００５３】
なお、変形例のファン（１）では、吹き出し通路（３）に第１絞り通路（１１）が形成されているが、第１絞り流路（１１）の近傍には外気吸入口が形成されていないので、空気が第１絞り通路（１１）を通過しても外気は吸入されず、そのまま空気が第２絞り通路（１２）に送られることとなる。
【００５４】
本発明の一実施形態に係る水槽装置（３０）は、水槽（２０）内の水（２５）の表面（２５ａ）に送風することにより水槽（２０）内の水（２５）の温度を調節する、水槽水の温度調節用ファンを備えたものであって、ファンとして、上記実施形態（変形例を含む）のファン（１）を備えている。したがって、上記実施形態と同様の効果を奏する。
【００５５】
以上で本発明の実施形態を説明したが、本発明は上記実施形態に示したものに限定されるものではなく、様々に変更可能である。
【００５６】
例えば、上記実施形態では、ファン（１）の吹き出し口（５ａ）からは、水槽（２０）の周囲に存在する室温の空気が吹き出されるものであるが、本発明では、その他に、例えば、所定温度に調節された空気が吹き出し口（５ａ）から吹き出されるように構成されていても良い。
【００５７】
また、上記実施形態では、ファン（１）は外部電源で駆動するものであるが、本発明では、その他に、例えば、ファン（１）やファン本体（４）に搭載された電池（乾電池、バッテリー、太陽電池等）により駆動するように構成されていても良いし、他の電源により駆動するように構成されていても良い。
【００５８】
また、上記実施形態では、取付け部材（７）は、ファン本体（４）及び繋ぎ管（６）にそれぞれ連結及び分離可能であるが、本発明では、その他に、吹き出し管（５）に連結及び分離可能であっても良いし、ファン本体（４）及び吹き出し管（５）にぞれぞれ連結及び分離可能であっても良い。すなわち、本発明では、取付け部材（７）は、ファン本体（４）、繋ぎ管（６）及び吹き出し管（５）のうち少なくとも一つに連結及び分離可能であれば良い。
【００５９】
また、上記実施形態では、ファン本体（４）と取付け部材（７）は、ファン本体（４）に形成された係合突部（４ｄ）と取付け部材（７）に形成された被係合溝部（７ｆ）との係合により連結されるように構成されているが、本発明では、その他に、例えば、取付け部材（７）に係合突部（４ｄ）が形成されるとともに、ファン本体（４）に被係合溝部（７ｆ）が形成され、係合突部（４ｄ）と被係合溝部（７ｆ）との係合により連結されるように構成されていても良いし、他の連結手段により連結されるように構成されていても良い。
【００６０】
また、上記実施形態では、繋ぎ管（６）と取付け部材（７）は、繋ぎ管（６）に形成された係合突部（６ｅ）と取付け部材（７）に形成された被係合溝部（７ｇ）との係合により連結されるように構成されているが、本発明では、その他に、例えば、取付け部材（７）に係合突部（６ｅ）が形成されるとともに、繋ぎ管（６）に被係合溝部（７ｇ）が形成され、係合突部（６ｅ）と被係合溝部（７ｇ）との係合により連結されるように構成されていても良いし、他の連結手段により連結されるように構成されていても良い。
【００６１】
また、本発明では、ファン本体（４）と繋ぎ管（６）、繋ぎ管（６）と吹き出し管（５）、並びに、ファン本体（４）と吹き出し管（５）がそれぞれ不本意に分離しないようにするための手段が、双方の連結部に講じられていても良い。
【産業上の利用可能性】
【００６２】
本発明は、例えば鑑賞用水槽内の水の温度を調節するためのファン、該ファンを備えた水槽装置及びファンを用いた水槽水の温度調節方法に利用可能である。
【図面の簡単な説明】
【００６３】
【図１】図１は、本発明の一実施形態に係る水槽水の温度調節用ファンを水槽に取り付けた状態で示す側面図である。
【図２】図２は、同ファンを水槽に取り付けた状態で示す平面図である。
【図３】図３は、同ファンの吹き出し管を中心に示す斜視図である。
【図４】図４は、同ファンの吹き出し管をファン本体から分離した状態の斜視図である。
【図５】図５は、同ファンの吹き出し管を中心に示す断面図である。
【図６】図６は、同ファンの取付け部材をファン本体から分離した状態の斜視図である。
【図７】図７は、本発明の一実施形態に係る水槽水の温度調節用ファンの一変形例を水槽に取り付けた状態で示す示す側面図である。
【図８】図８は、同ファンを水槽に取り付けた状態で示す平面図である。
【図９】図９は、同ファンの斜視図である。
【図１０】図１０は、同ファンの吹き出し管と繋ぎ管と取付け部材を中心に示す断面図である。
【図１１】図１１は、同ファンの分解斜視図である。
【符号の説明】
【００６４】
１…ファン
２…通路形成管
３…吹き出し通路
４…ファン本体
４ａ…出口
５…吹き出し管
５ａ…吹き出し口
５ｂ…入口
５ｃ…周壁の入口側端部
６…繋ぎ管
６ａ…入口
６ｂ…周壁の入口側端部
６ｃ…出口
６ｄ…周壁の出口側端部
７…取付け部材
８…第１絞り通路形成用傾斜板
９…第２絞り通路形成用傾斜板
１０…外気吸入口
１１…第１絞り通路
１２…第２絞り通路
２０…水槽
２５…水
３０…水槽装置
【図１】
2008237082.tif 000003
【図２】
2008237082.tif 000004
【図３】
2008237082.tif 000005
【図４】
2008237082.tif 000006
【図５】
2008237082.tif 000007
【図６】
2008237082.tif 000008
【図７】
2008237082.tif 000009
【図８】
2008237082.tif 000010
【図９】
2008237082.tif 000011
【図１０】
2008237082.tif 000012
【図１１】
2008237082.tif 000013